(57)【要約】  絶縁変圧器が変圧器コア（３００）を備える。第１及び第２の貫通孔（３４０、３４２）は、変圧器コアを通って第１の表面から第２の表面まで延びる。各貫通孔は、細長いプロファイルを有し、細長いプロファイルの少なくとも一部はそれぞれの平坦な巻取面を提供する。平坦な巻取面は、変圧器コアの中央部分によって離間される。変圧器は、中央非導電性コアを備えた６線ケーブルで巻回される。第１、第２、第３、第４、第５、及び第６導線は、実質的に等間隔の角度関係で中央非導電性コアの周りに隣接して配置される。第２導線は、第１導線と第３導線との間に配置される。第５導線は、第４導線と第６導線との間に配置される。導線は、選択された撚り密度で中央非導電性コアの周りに撚られる。【選択図】図３
2020516083.tif 000002
【特許請求の範囲】
【請求項１】
第１の表面及び第２の表面を有する変圧器コアと、
前記変圧器コアを通って第１の表面から第２の表面まで延在し、少なくとも一部が第１の平坦な巻取面を提供する細長いプロファイルの第１の貫通孔と、
前記変圧器コアを通って前記第１の表面から前記第２の表面まで延在し、少なくとも一部が第２の平坦な巻取面を提供する細長いプロファイルの第２の貫通孔であって、前記第２の平坦な巻取面が前記第１の平坦な巻取面から前記変圧器コアの中央部分だけ離間している、第２の貫通孔と、
第１導線、第２導線、第３導線、第４導線、第５導線、及び第６導線を含み、前記第２導線が前記第１導線と前記第３導線との間に位置付けられ、前記第５導線が前記第４導線と第６導線の間に位置する、少なくとも１つの多線ケーブルと、を備える
絶縁変圧器。
【請求項２】
前記第１及び第２の貫通孔の各々は、中央長方形部分、第１の半円形端部、及び第２の半円形端部を有する楕円形のプロファイルを有し、前記第１及び第２の平坦な巻取面がそれぞれの前記貫通孔の中央長方形部分の側面によってそれぞれ画定される、請求項１に記載の絶縁変圧器。
【請求項３】
前記少なくとも１つの多線ケーブルが、前記第１導線、前記第２導線、及び前記第３導線が一緒に撚られた第１の３線ケーブルと、前記第４導線、前記第５導線、及び前記第６導線が一緒に撚られた第２の３線ケーブルと、を有し、
前記第１の３線ケーブル及び前記第２の３線ケーブルは、隣接する前記第２の３線ケーブルの巻回間に前記第１の３線ケーブルの１巻回が位置付けられて前記変圧器コアに巻かれる、請求項１又は２に記載の絶縁変圧器。
【請求項４】
前記少なくとも１本の多線ケーブルが、前記第１導線、前記第２導線、前記第３導線、前記第４導線、前記第５導線、及び前記第６導線が中央非導電性コアの周りに螺旋状に巻かれている６線ケーブルを有する、請求項１又は２に記載の絶縁変圧器。
【請求項５】
前記少なくとも１本の多線ケーブルは、前記第１導線、前記第２導線、前記第３導線、前記第４導線、前記第５導線、及び前記第６導線が中央非導電性コアの周りに実質的に等間隔の角度で隣接して配置された６線ケーブルを有し、前記第２導線が前記第１導線と前記第３導線との間に配置され、前記第５導線が前記第４導線と前記第６導線との間に配置され、前記導線が選択された撚り密度で前記中央非導電性コアの周りに撚られた、請求項１又は２に記載の絶縁変圧器。
【請求項６】
各導線が、選択されたワイヤゲージに対応する共通の直径を有し、前記中央非導電性コアは、少なくとも前記導線の前記共通の直径と同じ大きさの直径を有する、請求項４又は５に記載の絶縁変圧器。
【請求項７】
前記中央非導電性コアがモノフィラメント材料を含む、請求項４〜６の何れか一項に記載の絶縁変圧器。
【請求項８】
前記多線ケーブルが６本の導線と前記中央非導電性コアのみを含む、請求項４〜７の何れか一項に記載の絶縁変圧器。
【請求項９】
前記多線ケーブルが８本の導線と前記中央非導電性コアとを含む、請求項４〜７の何れか一項に記載の絶縁変圧器。
【請求項１０】
前記多線ケーブルが９本の導線と前記中央非導電性コアとを含む、請求項４〜７の何れか一項に記載の絶縁変圧器。
【請求項１１】
請求項１〜１０の何れか一項に記載の絶縁変圧器を備える高データレートカプラシステムであって、
前記第１導線及び前記第３導線が前記絶縁変圧器の第１の１次巻線を形成し、前記第４導線及び前記第６導線が前記絶縁変圧器の第２の１次巻線を形成し、前記第１の１次巻線及び前記第２の１次巻線が直列に接続されてセンタータップ１次巻線を形成し、
前記第２導線が前記絶縁変圧器の第１の２次巻線を形成し、前記第５導線が前記絶縁変圧器の第２の２次巻線を形成し、前記第１の２次巻線及び前記第２の２次巻線が直列に接続されてセンタータップ２次巻線を形成し、
前記第２導線及び前記第５導線のそれぞれの端部セグメントで巻かれたチョークをさらに備える、
高データレートカプラシステム。
【発明の詳細な説明】
【技術分野】
【０００１】
本出願は、高速データ通信で使用する導体と回路要素、さらに詳細にはバランと撚りワイヤケーブルの改善に関する。
【背景技術】
【０００２】
変圧器は、誘導結合された導体を使用して、ある電気回路から別の電気回路に電気エネルギを伝達するデバイスである。よく理解されるように、１次巻線の電流が変化することで、磁束が変化し、その結果、２次巻線を通過する磁場が変化する。この変動する磁場は、変動する起電力（「ＥＭＦ」）又は電圧を２次巻線に誘導する。理想的な変圧器は、１次巻線によって生成される全ての磁束が変圧器の全ての２次巻線に結合されることを前提としている。但し、実際には１次巻線によって生成される磁束の一部は２次巻線の外側に存在するため、変圧器が変圧器巻線と直列のインダクタンスを持っているように見える。この理想的でない動作特性は漏れインダクタンスとして知られている。
【０００３】
漏れインダクタンスは、巻線の不完全な結合によって引き起こされ、これが２次変圧器巻線の全ての巻回とリンクしない漏れ磁束を生成する。その結果、特に変圧器に負荷がかかっている場合、回路の漏れリアクタンスに亘って電圧が低下し、理想的な電圧レギュレーションにならない。これは高周波用途で特に問題となり、そこでは電流の高周波が変圧器に見られる非理想的な寄生効果を悪化させる。
【０００４】
長年、技術者は、変圧器に見られる漏れインダクタンスの量を減らすと、変圧器の高周波性能が向上することが分かっていた。これまで、変圧器に見られる漏れインダクタンスの量を減らすために最も一般的に使用される方法は、従来、１次ワイヤと２次ワイヤを撚り合わせ、巻線を交互に配置するか（例えば、１次巻線の個々又は層を２次巻線に点在させる）、或いは巻線間の結合を増加させるために、巻線の撚れとインターリーブの両方の組み合わせを実施する。撚れとインターリーブの両方の手法の目的は、電磁エネルギ（内部エネルギと外部生成エネルギの両方）を１次及び２次巻線のそれぞれにできるだけ均等に分配することである。但し、撚れとインターリーブの組み合わせを実装することは可能でも、複数セットの巻線をインターリーブする場合、撚れを達成するのは非常に難しい場合がある。これは主に、最良の結合を得るために、複数のインターリーブされた巻線ができると、バンドル内のワイヤの順序を慎重に制御する必要があるということに起因する。両方のインターリーブとワイヤの撚りを組み合わせて使用する場合、これを達成するのが困難な場合がある。
【０００５】
高周波通信では、比較的少ない巻線の小さな変圧器を使用して、ネットワークデータラインをローカル回路から電気的に分離し、ネットワークデータラインとローカル回路との間の接地に対して電位差があってもデータラインとローカル回路との間に電流が発生しないようにする。例えば、図１は、分離に使用され得る既知の変圧器１００を示している。このような絶縁変圧器は、しばしば「バラン」と呼ばれる。図示のように、変圧器は、例えば、１，５００〜５，０００の比透磁率（μ／μ０）を有する透磁性材料を含むコア１０２を含む。複数のワイヤ１０４がコア上に巻かれて変圧器の巻線を形成する。図示された実施形態では、ワイヤは、多ワイヤ（例えば、３ワイヤ）ケーブルにグループ化されている。例えば、第１の３線ケーブル１０６は２つの１次ワイヤと１つの２次ワイヤを有し、第２の３線ケーブル１０８は２つの追加の１次ワイヤと別の２次ワイヤを有してよい。各ケーブルの３本のワイヤを撚り合わせて、各ケーブルの３本のワイヤが電磁ノイズによる同様の摂動に遭遇するようにする。
【０００６】
変圧器コア１０２は、第２の円筒状貫通孔１１４から離間した第１の円筒状貫通孔１１２を備えた楕円形（例えば、レース場形状）の本体１１０として形成される。そのような変圧器の例は、「高速通信を処理できるアイソレーション磁気デバイス」の米国特許第７,９２４,１３０号に詳細に記載されており、参照によりその全体が本明細書に組み込まれる。米国特許第７，９２４，１３０号に記載されているように、ワイヤ（ケーブル）１０４を第１の貫通孔及び第２の貫通孔に通して変圧器の巻線を形成することにより変圧器が完成する。ワイヤの端は選択的に相互接続されて、変圧器の１次及び２次巻線を画定する。ワイヤを受容する円形の貫通孔により、貫通孔に通されたワイヤが貫通孔の周囲に沿って異なる間隔で配置されることを当業者は理解するであろう。例えば、コアの中心近くに配置されたワイヤの巻回は、コアの中心から遠いワイヤの巻回よりも貫通孔の間のコアの厚さに亘って互いに近くなっている。図２の断面図にさらに示されるように、ワイヤ（ケーブル）は、貫通孔内に均等に分布するのではなく、貫通孔内に集まる傾向がある。一部の構成では、ワイヤのバンチングにより、特定の巻線の始点が特定の巻線の終点近くに配置され、巻線の始点と終点の間の寄生容量が増加する場合がある。
【発明の概要】
【発明が解決しようとする課題】
【０００７】
前述のケーブルと変圧器は、特定のデータ伝送速度（例えば、最大４００ＭＨｚの周波数範囲）までの高速データ通信に適しているものの、より高いデータ伝送速度には変圧器の１次及び２次巻線の結合が改善されなければならない。
【０００８】
上記を考慮して、高速データ通信カプラシステムにおける絶縁変圧器の巻線間の強化された結合を提供するシステム及び方法の必要性がある。
【課題を解決するための手段】
【０００９】
本明細書に開示される実施形態の一態様は、変圧器コアを含む絶縁変圧器である。第１及び第２の貫通孔は、変圧器コアを通って第１の表面から第２の表面まで延びる。各貫通孔は、細長いプロファイルを有し、細長いプロファイルの少なくとも一部は、それぞれの平坦な巻取面を提供する。平坦な巻取面は、変圧器コアの中央部分によって離間される。変圧器は、中央非導電性コアを備えた６線ケーブルで巻かれる。第１、第２、第３、第４、第５、及び第６導線は、実質的に等間隔の角度で中央非導電性コアの周りに隣接して配置される。第２導線は第１導線と第３導線との間に配置される。第５導線は第４導線と第６導線との間に配置される。導線は選択された撚り密度で中央非導電性コアの周りに撚られる。
【００１０】
本明細書に開示される実施形態の別の態様は、第１の表面及び第２の表面を有する変圧器コアを備える絶縁変圧器である。第１の貫通孔は、変圧器コアを通って第１の表面から第２の表面まで延びる。第１の貫通孔は細長いプロファイルを有し、細長いプロファイルの少なくとも一部は第１の平坦な巻取面を提供する。第２の貫通孔は、変圧器コアを通って第１の表面から第２の表面まで延びる。第２の貫通孔は、細長いプロファイルを有し、細長いプロファイルの少なくとも一部が第２の平坦な巻取面を提供する。第２の平坦な巻取面は、変圧器コアの中央部分によって第１の平坦な巻取面から離間する。変圧器は、第１導線、第２導線、第３導線、第４導線、第５導線、及び第６導線を含む少なくとも１つの多線ケーブルをさらに含む。第２導線は、第１導線と第３導線との間に配置される。第５導線は、第４導線と第６導線との間に配置される。特定の実施形態では、第１及び第２の貫通孔のそれぞれは、中央の長方形部分、第１の半円形端部、及び第２の半円形端部を有する楕円形プロファイルを有する。第１及び第２の平坦な巻線部分のそれぞれは、それぞれの貫通孔の中央の長方形部分のそれぞれの側面によって画定される。特定の実施形態では、少なくとも１本の多線ケーブルは、第１導線、第２導線、及び第３導線を含む第１の３線ケーブルを含み、第１、第２、及び第３導線は互いに撚られている。さらに、第４導線、第５導線、及び第６導線を含む第２の３線ケーブルを含み、第４、第５及び第６導線は互いに撚られている。特定の実施形態では、第１の３線ケーブル及び第２の３線ケーブルは、第２の３線ケーブルコアの隣接する巻回の間に配置された第１の３線ケーブルの１巻回で変圧器コアに巻かれる。他の特定の実施形態において、少なくとも１本の多線ケーブルは、第１導線、第２導線、第３導線、第４導線、第５導線及び第６導線を含む６線ケーブルを含む。ここで、第１、第２、第３、第４、第５及び第６導線は、中央非導電性コアの周りに螺旋状に巻かれている。
【００１１】
本明細書で開示される実施形態の別の態様は、少なくとも第１の表面及び第２の表面を有する固体に形成された磁性材料を含む変圧器コアである。第１の貫通孔は、磁性材料を通って第１の表面から第２の表面まで延びる。第１の貫通孔は細長いプロファイルを有し、細長いプロファイルの少なくとも一部は第１の平坦な巻取面を提供する。第２の貫通孔は、磁性材料を通って第１の表面から第２の表面まで延びている。第２の貫通孔は、細長いプロファイルを有し、細長いプロファイルの少なくとも一部が第２の平坦な巻取面を提供する。第２の平坦な巻取面は、磁性材料の中央部分によって第１の平坦な巻取面から離間している。この態様による特定の実施形態では、第１及び第２の貫通孔のそれぞれは、中央の長方形部分、第１の半円形端部、及び第２の半円形端部を有する楕円形プロファイルを有する。第１及び第２の平坦な巻線部分のそれぞれは、それぞれの貫通孔の中央の長方形部分のそれぞれの側面によって画定される。
【００１２】
本明細書に開示される実施形態の別の態様は、変圧器巻線用の多線ケーブルである。ケーブルは中央非導電性コアで構成される。少なくとも第１導線、第２導線、第３導線、第４導線、第５導線、及び第６導線は、実質的に等間隔の角度で中央の非導線コアの周りに隣接して配置される。第２導線は、第１導線と第３導線との間に配置される。第５導線は、第４導線と第６導線との間に配置される。導線は、選択された撚り密度で中央非導電性コアの周りに撚られている。この態様による特定の実施形態では、各導線は、選択されたワイヤゲージに対応する共通の直径を有する。中央非導電性コアの直径は、少なくとも導線の共通の直径と同じである。この態様による特定の実施形態では、中央非導電性コアは、モノフィラメント材料を含む。この態様による特定の実施形態では、多線ケーブルは、６本の導線と中央の非導線のみを含む。この態様による特定の実施形態では、多線ケーブルは、８本の導線と中央の非導線を含む。この態様による特定の実施形態では、多線ケーブルは、９本の導線と中央の非導線を含む。
【００１３】
本明細書に開示される実施形態の別の態様は、絶縁変圧器及びチョークを備える高データレートカプラシステムである。絶縁変圧器は、第１の表面と第２の表面を有するコアを含む。第１の貫通孔は、変圧器コアを通って第１の表面から第２の表面まで延びる。第１の貫通孔は細長いプロファイルを有し、細長いプロファイルの少なくとも一部は第１の平坦な巻取面を提供する。第２の貫通孔は、変圧器コアを通って第１の表面から第２の表面まで延びる。第２の貫通孔は、細長いプロファイルを有し、細長いプロファイルの少なくとも一部が第２の平坦な巻取面を提供する。第２の平坦な巻取面は、変圧器コアの中央部分によって第１の平坦な巻取面から離間する。変圧器は、中央非導電性コア、第１導線、第２導線、第３導線、第４導線、第５導線、及び第６導線を含む少なくとも１本の多線ケーブルをさらに含む。第２導線は、第１導線と第３導線との間に配置される。第５導線は、第４導線と第６導線との間に配置される。第１及び第３導線は、絶縁変圧器の第１の１次巻線を形成する。第４及び第６導線は、絶縁変圧器の第２の１次巻線を形成する。第１及び第２の１次巻線は直列に接続され、センタータップの１次巻線を形成する。第２導線は、絶縁変圧器の第１の２次巻線を形成し、第５導線は、絶縁変圧器の第２の２次巻線を形成する。第１及び第２の２次巻線は直列に接続され、センタータップの２次巻線を形成する。チョークには、第２導線と第５導線のそれぞれの端部が巻かれている。この態様による特定の実施形態では、少なくとも１本の多線ケーブルは、６本の導線と中央の非導線を含む。この態様による他の実施形態では、少なくとも１本の多線ケーブルは、第１の３線ケーブル及び第２の３線ケーブルを含む。第１の３線ケーブル及び第２の３線ケーブルを有する特定の実施形態では、第１、第２及び第３導線が第１の３線ケーブルにあり、第４、第５及び第６導線は第２の３線ケーブルにある。
【００１４】
本開示の前述の態様及び他の態様は、添付の図面に関連して以下で詳細に説明される。
【図面の簡単な説明】
【００１５】
【図１】既知の絶縁変圧器の斜視図である。
【図２】図１の２−２ラインに沿った図１の絶縁変圧器の断面図である。
【図３】細長い貫通孔を有する変圧器コアの斜視図であり、変圧器コアの前表面、上表面、及び右側面を示す。
【図４】図３の変圧器コアの回転斜視図であり、変圧器コアの背面、底表面、左側を示す。
【図５】図１及び図２のコアを組み込んだ変圧器の斜視図であり、図３及び図４で第１及び第２の３線ケーブルのそれぞれが３回巻かれた第１及び第２のコイルを含む。
【図６】図５の６−６ラインに沿った図５の変圧器の断面図である。
【図７】図５及び図６の変圧器の回路図である
【図８】６本の導線が撚れパターンで巻かれている中央非導電性コアを有する６線ケーブルのセグメントを示す図である。
【図９】図８の９−９ラインに沿った図８の６線ケーブルの断面図である。
【図１０】図３及び図４の変圧器コア、並びに図８及び図９の６線ケーブルを組み込んだ変圧器の斜視図である。
【図１１】図１０の１１−１１ラインに沿った図１０の変圧器の断面図である。
【図１２】変圧器コアの周りの巻線として６線ケーブルの６ワイヤを示す図１０及び図１１の変圧器の回路図である。
【図１３】トロイダルコア構造に図８の６線ケーブルが取り付けられた変圧器の斜視図である。
【図１４】６線ケーブル付きの図１０及び図１１の変圧器、及び３線ケーブルで巻かれたトロイダルコアを組み込んだ高データレートカプラシステムの斜視図である。
【図１５】変圧器の１次巻線への相互接続をより詳細に示す図１４の変圧器の拡大斜視図である。
【図１６】変圧器の２次巻線への相互接続をより詳細に示す図１４の変圧器の拡大斜視図である。
【図１７】１次巻線の相互接続、及び２次巻線とトロイダルコイルの相互接続を示す、図１４〜図１６の高データレートカプラシステムの回路図である。
【図１８】図１０、１１の変圧器の代わりに、図５、６の変圧器を組み込んだ、図１７のシステムと同様の高データレートカプラシステムの回路図である。
【図１９】２本の３線ケーブル付きの図５及び図６の変圧器、及び３線ケーブルで巻かれたトロイダルコアを組み込んだ高データレートカプラシステムの斜視図である。
【図２０】多線ケーブルが非導電性コアの周りに８本の導線を含む、図８と同様の断面図である。
【図２１】多線ケーブルが非導電性コアの周りに９本の導線を含む、図８の図と同様の断面図である。
【発明を実施するための形態】
【００１６】
改良された高データレート絶縁変圧器が添付図面に開示され以下に説明される。この実施形態は、変圧器の例示のために開示されており、添付の特許請求の範囲で定義されている場合を除き限定するものではない。
【００１７】
図３及び図４は、開示された実装形態による変圧器コア３００を示している。前述の図１及び図２の楕円形の変圧器１００のコアとは異なり、図３及び図４の変圧器コア３００は、６つのほぼ長方形の側面を有する全体として箱のような（平行六面体の）外観を有する。Ｘ、Ｙ及びＺ座標を参照した図示の向きでは、コアは上表面３１０、底表面３１２、左表面３１４、右表面３１６、前表面３１８及び後表面３２０を有する。第１の（上下）中心軸３３０は、上表面から底表面までＹ軸に平行にコアの中心を通る。第２（左右）中心軸３３２は、コアの中心を左表面からＸ軸に平行に右表面まで通る。第３の（前後）中心軸３３４は、前表面から後表面までＺ軸に平行にコアの中心を通る。３つの中心軸はコアの中心で交差する。上、底、左、右、前、及び後の参照は、以下の説明を提供するのに便利である。当業者は、変圧器コアが構築中及び使用中に様々な異なる向きに向けられ得ることを理解するであろう。
【００１８】
図示の実施形態では、変圧器コア３００は、上下中心軸３３０に沿った約０．１３６インチの高さ、左右中心軸３３２に沿った幅約０．１２０インチ、及び前後軸３３４に沿った約０.１２０インチの厚さ（深さ）を有する。寸法は例にすぎず限定することを意図したものではない。図３に示されるように、上表面３１０と底表面３１２との間の縁及び隣接する左表面３１４と右表面３１６との間の縁は、鋭利な縁を除去するためにフィレット（例えば、丸み付け）されてよい。
【００１９】
変圧器コア３００は、図３及び図４にさらに示されるように、第１の細長い貫通孔３４０及び第２の細長い貫通孔３４２を含む。各細長い貫通孔は、前表面３１８から後表面３２０まで前後中心軸３３４と平行にコアを通って延びる。図示された実施形態では、２つの細長い貫通孔は、前後中心軸から実質的に等距離に離間され、コアの左右中心軸３３２からも等距離に離間されている。
【００２０】
前述の図１のコア１００の円形貫通孔１１０、１１２とは異なり、図３及び図４の変圧器コア３００の楕円形貫通孔３４０、３４２は、一般に楕円形（例えば、レース場形）である。各貫通孔は、左右中心軸３３２に平行な左右方向に広く、上下中心軸３３０に平行な上下方向に狭い。各細長い貫通孔は、ほぼ長方形の中央部分３５０を有する。第１の半円形端部３５２は、長方形の中央部の左端から延びている。第２の半円形端部３５４は、長方形の中央部分の右端から延びている。各細長い貫通孔は、コアの中心に最も近いそれぞれの内側平坦面３５６と、コアの中心から最も遠いそれぞれの外側平坦面３５８とを有する。コアの中央部分３６０は、２つの貫通孔の間でコアの前表面３１８から後表面３２０まで延びている。コアの中央部分は、２つの貫通孔のそれぞれの平坦な表面の間に名目上の高さを持っている。
【００２１】
図示の実施形態では、各細長い貫通孔３４０、３４２は、それぞれの第１の半円形端部３５２の外周から第２の半円形端部３５４の外周までの約０．０６５インチの全幅（Ｗ）を有する。図示の実施形態では、各細長い貫通孔は、各半円形端部の直径に対応するそれぞれの内側平坦面からそれぞれの外側平坦面までの約０．０３４インチの高さ（Ｈ）を有し、これが各半円形端部の直径に対応する。各細長い貫通孔の長方形の中央部分３５０は、約０．３１インチの幅を有する。貫通孔の内側平坦面は、コアの中央部分３６０の高さに対応する約０.２３インチだけ互いに離間する。前述の寸法及び細長い貫通孔の間隔は単なる例であり限定することを意図するものではない。
【００２２】
図５は、複数のワイヤが細長い貫通孔３４０、３４２を通りコアの中央部分３６０の周りに巻かれた変圧器５００の一部として構成された図３及び図４の変圧器コア３００の斜視図である。図６は図５の変圧器の断面図である。図示された実施形態では、第１の３線ケーブル５１０及び第２の３線ケーブル５１２は、第１ケーブルの３巻回が第２ケーブルの３巻回と交互配置される交互配置方式でコアの中央部分に巻き付けられる。結果として生じる変圧器が図７に回路で示される。以下の説明の便宜上、第１ケーブルの２本のワイヤがＮ１とＮ２として示され、第１ケーブルの第３のワイヤがＧとして示される。図５〜図７の第２ケーブルの２つのワイヤがＢ１及びＢ２として示され、第２ケーブルの第３のワイヤはＲとして示される。図５〜図７において、図６の各ワイヤの始点がさらにＳサフィックスで識別され、各ワイヤの終点がＦサフィックスで識別される。各ワイヤの始点は、最初に第２（下部）の細長い貫通孔に通され、第１の（上部）貫通孔から出る。各ワイヤの終点は、第２（下部）の細長い貫通孔から延びている。始点と終点の識別は交換できる。
【００２３】
図７に概略に示すように、図５及び図６の変圧器５００の具体的な適用において、第１ケーブル５１０のワイヤの始点（Ｎ１Ｓ及びＮ２Ｓ）のＮ１及びＮ２が互いに接続され、Ｎ１及びＮ２ワイヤの終点（Ｎ１Ｆ及びＮ２Ｆ）が互いに接続されて、Ｎ１及びＮ２ワイヤは、コアの中央部分に巻かれるように平行に接続されている。第２ケーブル５１２のＢ１及びＢ２ワイヤの始点（Ｂ１Ｓ及びＢ２Ｓ）が互いに接続されて、Ｂ１及びＢ２ワイヤの終点（Ｂ１Ｆ及びＢ２Ｆ）が互いに接続されて、Ｂ１及びＢ２ワイヤは、コアの中央部分の周りに巻かれるように平行に接続される。第１ケーブルのＮ１及びＮ２ワイヤの相互接続された終点（Ｎ１Ｆ及びＮ２Ｆ）は、第２ケーブルのＢ１及びＢ２ワイヤの始点（Ｂ１Ｓ及びＢ２Ｓ）にさらに接続されて、平行に接続されたＮ１及びＮ２ワイヤ及び平行に接続されたＢ１及びＢ２ワイヤは、変圧器の連続６巻回１次巻線７００として直列に接続されている。相互接続されたＮ１及びＮ２ワイヤの終点Ｎ１Ｆ、Ｎ２Ｆ及びＢ１及びＢ２ワイヤの始点Ｂ１Ｓ、Ｂ２Ｓは、回路図に示すように、１次巻線のセンタータップ７０２を形成する。Ｎ１及びＮ２ワイヤの相互接続されたＮ１Ｓ及びＮ２Ｓ端部セグメントは、１次巻線の第１の外側リード７０４を形成する。Ｂ１及びＢ２ワイヤの相互接続されたＢ１Ｆ及びＢ２Ｆ端部セグメントは、１次巻線の第２の外側リード７０６を形成する。
【００２４】
図７に示すように、第２ケーブル５１２のＲワイヤの終点（ＲＦ）は、第１ケーブル５１０のＧワイヤの始点（ＧＳ）に接続されて、ＲワイヤとＧワイヤは６巻回の２次巻線として直列に接続される。Ｒワイヤの終点（ＲＦ）とＧワイヤの始点（ＧＳ）の共通接続は、回路図に示されるように、変圧器５００の２次巻線７１０のセンタータップ７１２を形成する。ＲワイヤのＲＳ端部セグメントは２次巻線の第１の外側リード７１４を形成する。ＧワイヤのＧＦ端部セグメントは２次巻線の第２の外部リード７１６を形成する。図示の実施形態では、２次巻線は、図示の交差結合構成で相互接続され、巻線間容量の半分を追加し漏れインダクタンスを低減することにより通過帯域のインピーダンス整合をさらに改善する。
【００２５】
図６の断面図に示すように、２つのケーブル５１０、５１２は、細長い貫通孔３４０、３４２のそれぞれの内側平坦面３５６（図３及び図４の要素番号３５６を参照）に対して配置されて、各ケーブルの各巻回が変圧器コア３００の中央部分３６０に隣接して位置する。ワイヤの隣接する巻回の直径の合計が平坦な内面の範囲を超える場合、平坦な内面の一端又は両端でのワイヤの巻回は、図示のように半円形端部３５２、３５４に延びてもよい。但し、細長い貫通孔の平坦な内面間のコアの中央部分の公称高さに対する各端部巻回間のコアの中央部分の高さの小さな差は、ワイヤの巻回間のカップリングの所望の均一性に実質的に影響を与えない。
【００２６】
図５〜図７の変圧器５００の構造は、巻線内のワイヤの巻回間の結合を増加させ、巻線に平行な変圧器の寄生要素（例えば、また図７に示すように細長い孔の両端にある巻線の始点及び巻線の終点間の分布容量）を減らすことにより、より高いデータ通信速度での変圧器の動作を改善する。
【００２７】
変圧器５００の図５〜図７の２本のインターリーブされた３線ケーブル５１０、５１２が、最大約１，８００ＭＨｚまでの広い帯域幅でのデータ通信のために１次巻線と２次巻線との間の結合を提供する。但し、２本の３線ケーブルで変圧器を巻くには、２つのケーブルを変圧器コア３００に２つの別々のステップで巻くか、２本のケーブルをコアの内面３５６に対して２本のケーブルの境界ワイヤを維持しつつ同時に巻くことができる技術を使用して巻く必要がある。
【００２８】
２本のインターリーブされた３線ケーブル５１０、５１２によって提供される帯域幅が必要でない場合、変圧器コア３００は、単一の多線ケーブルで巻くことができる。例えば、図８は、単一動作で変圧器コアに巻き付けることができる多線ケーブル８００のセグメントを示している。図示されるように、多線ケーブルは、その上に形成された薄いエナメル絶縁体を備えた６本の導電性マグネットワイヤを含む。このようなマグネットワイヤは多くのベンダーから市販されている。図示の実施形態では、マグネットワイヤは、約０．００４５インチの外径を有する３８ゲージのワイヤを含む。但し、以下の説明は、異なるゲージのワイヤに容易に適用できる。以下の説明でワイヤを参照する際の便宜上、６本のワイヤにはＢ１、Ｂ２、Ｒ、Ｎ１、Ｎ２、Ｇとして示されている。選択されたラベルＢ、Ｒ、Ｎ、Ｇはそれぞれ、青、赤、ナチュラル、緑を指すが、他の色又は他の手法を使用してワイヤを識別することもできる。特定の実装では、６本のワイヤは絶縁に対応する色を付けることができて、以下で説明するように相互接続されたときに各特定のワイヤを簡単に識別できる。
【００２９】
図８に示すように、ケーブル８００内の６本の導電性マグネットワイヤＢ１、Ｂ２、Ｒ、Ｎ１、Ｎ２、Ｇは、６本のマグネットワイヤのそれぞれの直径にほぼ対応する直径を有する中央非導電性コアフィラメント８３０の周りに撚られている。例えば、コアフィラメントの直径は、マグネットワイヤの直径と同じであってもよいし、コアフィラメントの直径は、マグネットワイヤの直径よりわずかに大きくてもよい。好ましくは、コアフィラメントは非磁性材料を含む。例えば、一実施形態では、非導電性、非磁性コアフィラメントは、ナイロン、フルオロカーボン、ポリエチレン、ポリエステル、又は他の適切な材料などのモノフィラメント材料を含む。そのような材料は、釣り糸に使用される材料に類似している場合がある。６本の導線は、中央のコアフィラメントの周りで時計回り又は反時計回りに撚ることができる。時計回りの撚れ方向が図８に示されている。必要に応じて、撚り密度（又は締め具合）を変更できる。図示の実施形態では、撚り密度は、１インチあたり１６撚れ（ＴＰＩ）から２０ＴＰＩの範囲になるように選択される。図示のように、６本の導線はそれぞれ、中央非導電性コアフィラメントの周りに螺旋状に巻かれており、各導線の螺旋パターンの始点は、隣接する２本の導線の螺旋パターンの始点に対して６０度の角度で隔てられている。従って、６本のワイヤの中心は、図９の６線ケーブルの断面図に示されるように、中央非導電性コアフィラメントの周りに六角形パターンを形成する。
【００３０】
６線ケーブル８００の図示の実施形態では、ＲワイヤはＢ１ワイヤとＢ２ワイヤとの間に配置され、３本のワイヤが第１群のワイヤを形成する。ＧワイヤはＮ１ワイヤとＮ２ワイヤの間に配置され、３本のワイヤが第２群のワイヤを形成する。Ｂ１ワイヤはＮ２ワイヤに隣接し、Ｂ２ワイヤはＮ１ワイヤに隣接している。以下の説明で明らかになるように、各Ｂワイヤは同じ機能を実行し、各Ｎワイヤは同じ機能を実行するため、Ｂワイヤの番号付け及びＮワイヤの番号付けは本明細書に記載の実施形態において任意である。６本の導線は中心コア８３０の周りにきつく巻かれている。中心コアを含めることで、６本の導線が撚り工程中に内側に押し込まれるのを防ぐ。従って、６本の導線は、撚れプロセス全体で中心コアの周りの初期Ｂ１−Ｒ−Ｂ２−Ｎ１−Ｇ−Ｎ２構成を維持する。各群の３本のワイヤは、ＲワイヤはＢ１ワイヤとＢ２ワイヤの間にしっかりと配置されＧワイヤはＮ１ワイヤとＮ２ワイヤの間にしっかりと配置される状態でケーブルの長さに亘って一緒に残る。６本の導線はまた以下で説明するように変圧器コア３００の周りに巻かれたときに所望の構成を維持する。
【００３１】
６線ケーブル８００の券き易さが図１０及び図１１に示され、ここで、６線ケーブルが第１（上部）の細長い貫通孔３４０と第２（下部）の貫通孔３４２に通された３巻回コイル１０１０の形で変圧器コア３００に巻かれて、コアの中心コア部分３６０の周りに変圧器１０００構造が形成される。以下の説明の目的で、３巻回コイルは、第２（下側）の細長い貫通孔に入ると「開始」され、第１（上側）の細長い貫通孔を出ると「終止」される。従って、ケーブルの始端にある６線ケーブルの６本のワイヤＮ１、Ｎ２、Ｂ１、Ｂ２、Ｇ、Ｒのそれぞれの第１端部セグメントには、接尾辞「Ｓ」が付けられている（例：Ｎ１Ｓ、Ｎ２Ｓ、Ｂ１Ｓ、Ｂ２Ｓ、ＧＳ、ＲＳ）。ケーブルの端の６本のワイヤのそれぞれの第２端部セグメントには、接尾辞「Ｆ」がつけられている（例：Ｎ１Ｆ、Ｎ２Ｆ、Ｂ１Ｆ、Ｂ２Ｆ、ＧＦ、ＲＦ）。
【００３２】
前述の変圧器５００は、２つの３線ケーブル５１０、５１２のそれぞれが３つの巻回を必要とし、合計６回の巻回で変圧器のコアに巻き付けらた。図５の変圧器５００とは異なり、図１０の変圧器１０００では、単一の３巻回単一コイル１０１０を変圧器コアに巻き付けるだけでよい。図１０及び図１１を参照すると、単一コイル内の６線ケーブル８００の３回巻回は、上記の２つの３線ケーブルの６回巻回と比較して、細長い貫通孔３４０、３４２内の実質的に少ない縦方向（例えば、左から右）空間を占める。従って、６線ケーブルの３つの巻回のそれぞれは、貫通孔のそれぞれの内側平坦面３５６に対して配置される。
【００３３】
単一の６線ケーブル８００は、２本の３線ケーブル５１０、５１２よりも巻回し易いことに加えて、巻線の第１及び第２の群間のバランス又は対称性を改善し得る。前述のように、巻線の第１の群は、ＲワイヤとともにＢ１ワイヤ及びＢ２ワイヤを備えている。Ｒワイヤは、Ｂ１ワイヤとＢ２ワイヤの間にしっかりと位置付けられる。巻線の第２の群は、ＧワイヤとともにＮ１ワイヤ及びＮ２ワイヤを備える。Ｇワイヤは、Ｎ１ワイヤとＮ２ワイヤの間にしっかりと位置付けられる。ワイヤの２つの群の配線位置は、ワイヤの２つの群間の対称的な結合を実現する（例えば、Ｂ１及びＢ２ワイヤからＲワイヤへの結合は、Ｎ１及びＮ２ワイヤからＧワイヤへの結合と同様である）。さらなる利点は、ケーブルが細長い貫通孔を通り、変圧器コアの前表面３１８及び後表面３２０の周りに通されるときに、６線ケーブルの６本のワイヤが同時に撚れることである。従って、６本のワイヤは同様の電磁摂動と他の摂動を経験する。
【００３４】
中央非導電性コア８１０の周りの共通の螺旋巻回によって提供される、単一の６線ケーブル８００の２本の３線ケーブル５１０、５１２に対する利点は、帯域幅が減少するのと部分的に相殺される。ワイヤの第１のセットＮ１、Ｇ、Ｎ２は、ワイヤの第２のセットＢ１、Ｒ、Ｂ２に対して密に巻かれている。２本の３線ケーブルで別々に巻かれた２組のワイヤ間の寄生結合と比較して、密な巻回は２組の一般的に巻かれたワイヤ間の寄生容量結合を増加させる。寄生容量結合が増加すると、変圧器５００に対する変圧器１０００の全体的な帯域幅が減少する虞がある。例えば、２本の３線ケーブルで巻かれた変圧器５００の約１，８００ＭＨｚの帯域幅と比較して、６線ケーブルで巻かれた変圧器１０００は最大約１，２００ＭＨｚの帯域幅で動作し得る。
【００３５】
図１２は、図１０及び図１１の変圧器１０００の基本的な回路図を示す。変圧器は、コア３００に巻かれた６本の巻線を備えている。第１の巻線１２００は、始点端部セグメントＮ１Ｓと終点端部セグメントＮ１Ｆとの間のＮ１ワイヤを含む。第２の巻線１２１０は、始点端部セグメントＮ２Ｓと終点端部セグメントＮ２Ｆとの間のＮ２ワイヤを含む。第３の巻線１２２０は、始点端部セグメントＢ１Ｓと終点端部セグメントＢ１Ｆとの間のＢ１ワイヤを含む。第４の巻線１２３０は、始点端部セグメントＢ２Ｓと終点端部セグメントＢ２Ｆとの間のＢ２ワイヤを含む。第５の巻線１２４０は、始点端部セグメントＲＳと終点端部セグメントＲＦとの間にＲワイヤを含む。第６の巻線１２５０は、始点端部セグメントＧＳと終点端部セグメントＧＦとの間にＧワイヤを含む。
【００３６】
図８の６線ケーブル８００は、他の変圧器構成でも使用できる。例えば、図１３は、図８の６線ケーブルが使用される変圧器１３００の斜視図を示しており、図８の６線ケーブルがトロイダルコア構造１３１０に巻かれている。図１３のトロイダル変圧器の構成は、図１０及び図１１の変圧器１０００に関して上述したように、全ての変圧器巻線を単一の動作で巻くことができるという利点がある。
【００３７】
図１４は、図１０及び図１１の変圧器１０００を組み込んだ高データレートカプラシステム１４００の実施形態を示している。例えば、高データレートカプラは最大１,２００ＭＨｚの帯域幅で動作する。
【００３８】
図１４のカプラシステム１４００は、上述のように図８及び図９の６線ケーブル８００の巻かれた変圧器１０００を含む。カプラシステムは、さらに、３線ケーブルの複数の巻回（例えば、３巻回）を有するコイル１４１４の巻かれたトロイダルコア１４１２を有するトロイダルチョーク１４１０を含む。以下に説明するように、トロイダルチョークが変圧器に接続される。６線ケーブルの延長端が選択的に相互接続されて、変圧器とチョークを相互接続し変圧器へのリードを形成する。相互接続の第１のセットの拡大図が図１５に示されている。相互接続の第２のセットの拡大図が図１６に示されている。図１４〜図１６に示すように相互接続される場合、変圧器及びトロイダルチョークは、図１７に回路的に示される電気回路を形成する。
【００３９】
図１５で、３巻回コイル１０１０のＲワイヤ及びＧワイヤは、コア３００の第１（上部）の貫通孔３４０及び第２（下部）の貫通孔３４２で切断されて、Ｎ１ワイヤ、Ｎ２ワイヤ、Ｂ１ワイヤ、及びＢ２ワイヤへの接続のみが示されている。図１５に示され図１７に回路で表わされるように、コア３００の第２（下部）の細長い貫通孔から延びるＮ１ワイヤ及びＮ２ワイヤのそれぞれの第１端（始点）セグメントＮ１Ｓ、Ｎ２Ｓは、一緒に撚られて１インチあたり１６〜２０撚れの撚り密度で第１の２線ケーブル１４２０を形成する。第１端部セグメントＮ１Ｓ、Ｎ２Ｓにより形成される第１の２線ケーブルは、３巻回コイルから約１インチ延びる長さを有する。第１端部セグメントＮ１Ｓ、Ｎ２Ｓの露出した遠位端（３巻回コイルから最も遠い端部）は、はんだ付けされるか然もなければ互いに電気的に接続される。図１７に示すように、第１の２線ケーブルは、センタータップ付き変圧器１０００の１次巻線１４３０の第１の外部リード１４３２を形成する。
【００４０】
図１５に示され図１７に回路で示されるように、コア３００の第１（上部）の細長い貫通孔３４０から延びるＮ１ワイヤ及びＮ２ワイヤのそれぞれの第２端部セグメントＮ１Ｆ、Ｎ２Ｆは、第２（下部）の細長い貫通孔３４２から伸びているＢ１ワイヤ及びＢ２ワイヤのそれぞれの第１端部セグメントＢ１Ｓ、Ｂ２Ｓと一緒に撚られる。４つの端部セグメントＮ１Ｆ、Ｎ２Ｆ、Ｂ１Ｓ、Ｂ２Ｓは、１６〜２０ＴＰＩの間の撚り密度で撚られた第４線ケーブル１４４０を形成する。４つの端部セグメントの長さは約１インチでよい。４つの端部セグメントの露出した遠位端は、はんだ付けされるか然もなければ互いに電気的に接続される。図１７に示されるように、４つの端部セグメントは、変圧器１０００の１次巻線１４３０のセンタータップリード１４４２を形成する。
【００４１】
図１５にさらに示され図１７に回路で示されるように、コア３００の第１（上部）の細長い貫通孔３４０から延びるＢ１ワイヤ及びＢ２ワイヤのそれぞれの第２端部セグメントＢ１、Ｂ２Ｆは、一緒に撚られて、１インチあたり１６〜２０撚り密度を有する第２の２線ケーブル１４５０を形成する。第２端部セグメントＢ１Ｆ、Ｂ２Ｆによって形成される第２の２線ケーブルは、３巻回コイルから約１インチ延びる長さを有する。第２端部セグメントＢ１Ｆ、Ｂ２Ｆの露出した遠位端は、はんだ付けされるか然もなければ互いに電気的に接続される。第２の２線ケーブルは、センタータップ付き変圧器１０００の１次巻線１４４０の第２の外側リード１４５２を形成する。
【００４２】
図１６に、３巻回コイル１０１０のＲワイヤ及びＧワイヤの延長部分が再び示されている。Ｎ１ワイヤ、Ｎ２ワイヤ、Ｂ１ワイヤ及びＢ２ワイヤの延長部分は、コア３００の第１（上部）の貫通孔３４０及び第２（下部）の貫通孔３４２で切り取られているため、Ｒワイヤ及びＧワイヤは図１６に見ることができる。図１６に示され図１７に回路で表されるように、Ｒワイヤの第１端部セグメントＲＳは、第２（下部）の細長い貫通孔３４０から約０．１５インチ〜約０．２インチの距離だけ延びている。同様に、Ｇワイヤの第２端部セグメントＧＦは、第１（上部）の細長い貫通孔３４２から約０．１インチ〜約０．１５インチの距離だけ延びている。端部セグメントＲＳ及び端部セグメントＧＦの遠位端は、第３のＮワイヤの第１の端部に電気的に接続されている。第３のＮワイヤ（接尾辞なし）は、変圧器１０００の６線ケーブル８００の一部ではない。図１６に示されるように、２つの端部セグメントＲＦ、ＧＳ及びＮワイヤの端部は、変圧器の２次巻線１４６０のセンタータップ１４６２を形成する。
【００４３】
図１７に示されるように、Ｒワイヤの第１端部セグメントＲＳは、変圧器１０００のセンタータップ付き２次巻線１４６０の第１の外側リード１４６４を形成する。Ｇワイヤの第２端部セグメントＧＦは、２次巻線の第２の外側リード１４６６を形成する。Ｒワイヤの第１端部セグメントＲＳ及びＧワイヤの第２端部セグメントＧＦは、第３のＮワイヤと一緒に撚られて、変圧器１０００からトロイダルチョーク１４１０まで延びる３線ケーブル１４７０を形成し、変圧器から約０.１インチ〜約０.１５インチだけ離間する。図示の実施形態では、３線ケーブルは、インチ当たり約１０回の撚り密度で一緒に撚られている。図１４に示されるように、３線ケーブルは、トロイダルチョークのトロイダルコア１４１２の周りに巻かれて、３巻回トロイダルコイル１４１４を形成する。コイルの３巻回は、円形コアの約１８０度の間に均等に分布している。図１７に回路で示されるように、ＲワイヤのＲＳ端部は第１コイル１４７２に巻かれてトロイダルチョークの第１巻線を形成し、ＧワイヤのＧＦ端部は第２コイル１４７４に巻かれてトロイダルチョークの第２巻線を形成する。トロイダルチョークは従来の方法で動作し、２本のワイヤがデータ通信ラインの一部を形成する場合、ＲワイヤのＲＳ端部セグメントとＧワイヤのＧＦ端部セグメントのコモンモードノイズを抑制する。変圧器１０００の２次巻線１４６０のセンタータップ１４６２に接続されたＮワイヤは、第１及び第２のコイルで巻かれた第３のコイル１４７６としてトロイダルコアも通過する。Ｎワイヤは、例えば、２０１６年６月３０日に公開され参照によりその全体が本書に組み込まれるＢｕｃｋｍｅｉｅｒらの米国特許出願公開第２０１６／０１８７９５１Ａ１号に記載されているように、イーサネット（登録商標）ケーブルを介して電力を提供するＤＣ電圧のソース（又は宛先）に電気的に接続可能である。
【００４４】
代替実施形態では、トロイダルチョーク１４１０の巻線をバイパスする前にＮワイヤを３線ケーブル１４７０から引き出して、トロイダルコアがＲワイヤのＲＳ端部セグメントとＧワイヤのＧＦ端部セグメントの２本だけのワイヤで巻かれる。さらに別の構成では、イーサネット（登録商標）ケーブルを介した電力が不要な場合、変圧器の２次巻線のセンタータップからのＮワイヤを削除して、トロイダルコアに２本のワイヤ、ＲワイヤのＲＳ端部セグメント及びＧワイヤのＧＦ端部セグメントで巻かれ、２つの端部セグメントによってのみ絶縁変圧器に接続される。
【００４５】
図１４、図１５、及び図１６に示すように、６本のワイヤの延長端部セグメントは、３巻回コイル１０１０を形成する６線ケーブル８００の連続するセグメントである。変圧器１０００の１次巻線１４３０の２つの外側リード１４３２及び１４５２及び中央タップリード１４４２は、カプラシステム１４００が組み込まれる他の回路（図示せず）への電気接続のみを必要とする。同様に、トロイダルチョーク１４１０のＲワイヤとＧワイヤは、それぞれＲワイヤのＲＳ端部セグメントとＧワイヤのＧＦセグメントの途切れることなく連なる。変圧器のすぐ近くで行われる唯一の電気接続は、Ｒワイヤの第３のＮワイヤ及びＲＦ端部セグメント、並びにＧワイヤのＧＳセグメントからの電気接続である。変圧器とトロイダルチョーク内のワイヤ間の電気的相互接続を排除することにより、変圧器はコンパクトで製造が簡単である。従って、細長い貫通孔３４０、３４２を有する変圧器コア３００と、全ての巻線を単一のコンパクトなケーブルに組み合わせた６線ケーブル８００との組み合わせにより、製造実施性及び機能性が大幅に改善される。
【００４６】
図１８及び図１９は、図１４〜図１７のカプラシステム１４００と同様、より高いデータレートで動作するカプラシステム１８００を示している。図１８及び図１９のカプラシステムは、２本の３線ケーブル５１０、５１２を組み込んで図５及び図６の変圧器５００で実施される。上述のように、２つのケーブルのＮ１Ｓ及びＮ２Ｓ端部セグメントは、一緒に接続されて１次巻線７００の第１の外側リード７０４を形成する。Ｎ１Ｆ、Ｎ２Ｆ、Ｂ１Ｓ、及びＢ２Ｓ端部セグメントは互いに接続されて、１次巻線の中央タップ７０２を形成する。Ｂ１Ｆ及びＢ２Ｆ端部セグメントは、互いに接続されて１次巻線の第２の外側リード７０６を形成する。ＲＳ端部セグメントは、変圧器の２次巻線７１０の第１の外部リード７１４を形成する。ＲＦ及びＧＳ端部セグメントと追加のＮワイヤは２次巻線のセンタータップ７１２を形成する。ＧＦ端部セグメントは２次巻線の第２の外部リード７１６を形成する。トロイダルコイル１４１０は、第１の外側リード、第２の外側リード及び追加のＮワイヤを一緒に撚りトロイダルコア１４１２に３つのワイヤを巻き付けることによって上述のように実装されて、トロイダルチョークの３つのコイルを形成する。図１８及び図１９のカプラシステムは、４０ＧＢａｓｅＴインターフェイスのＩＥＥＥ８０２．３ｂｑ−２０１６の要件に従って、１,８００ＭＨｚの帯域幅で動作する。
【００４７】
図８の多線ケーブルは、非導電性コアの周りに追加の導線を有するように構成することができる。例えば、図２０に、非導電性コア１９１０の周りに螺旋状に８本の導線１９２０を含むケーブル１９００が示されている。図示の実施形態では、導線が３８ゲージワイヤ（例えば、直径約０．００４５インチ）であり、非導電性コアの直径は約０．００７３インチであり、これは３４ゲージのマグネットワイヤの直径よりわずかに大きい。図２０で、各螺旋状に巻かれたワイヤは、２本の隣接するワイヤから４５度の角度で離間している。更なる例として、図２１は、図８の図と同様の断面図を示し、多線ケーブルは、非導電性コア２０１０の周りに９本の導線２０２０を含む。導線が３８ゲージワイヤ（例えば、直径約０．００４５インチ）である図示の実施形態では、非導電性コアが約０．００８７インチの直径を有し、これは３２ゲージのマグネットワイヤの直径よりわずかに大きい。図２１に示されるように、各螺旋状に巻かれたワイヤは２本の隣接するワイヤから４０度の角度で離間している。
【００４８】
当業者は、前述の実施形態が本発明の例示であることを理解するであろう。本発明は、添付の特許請求の範囲によって定義されるように、本発明の精神及び範囲内で、代替実施形態に有利に組み込むことができる。
【図１】
2020516083.tif 000003
【図２】
2020516083.tif 000004
【図３】
2020516083.tif 000005
【図４】
2020516083.tif 000006
【図５】
2020516083.tif 000007
【図６】
2020516083.tif 000008
【図７】
2020516083.tif 000009
【図８】
2020516083.tif 000010
【図９】
2020516083.tif 000011
【図１０】
2020516083.tif 000012
【図１１】
2020516083.tif 000013
【図１２】
2020516083.tif 000014
【図１３】
2020516083.tif 000015
【図１４】
2020516083.tif 000016
【図１５】
2020516083.tif 000017
【図１６】
2020516083.tif 000018
【図１７】
2020516083.tif 000019
【図１８】
2020516083.tif 000020
【図１９】
2020516083.tif 000021
【図２０】
2020516083.tif 000022
【図２１】
2020516083.tif 000023
【国際調査報告】
2020516083.tif 000024
2020516083.tif 000025